(57)【要約】【課題】一の用紙に記入された内容に関する情報を、別の用紙についての情報として適切に引き継ぐことが可能なコンピュータ装置を提供する。【解決手段】コンピュータ装置は、電子ペンが用紙に形成されたコード化パターンを読み取って生成した記入情報に基づいて、用紙に電子ペンで記入された内容に関する記入内容情報を生成する情報生成手段と、情報生成手段によって生成された記入内容情報を、用紙に対応付けて記憶手段に記憶させる記憶制御手段と、を備え、記憶制御手段は、電子ペンにより２枚の用紙に記入がなされた場合に、２枚の用紙の一方の用紙に対応付けて記憶された記入内容情報を、２枚の用紙の他方の用紙の記入内容情報として引き継がせる。【選択図】図７
2014222470.tif 000002
【特許請求の範囲】
【請求項１】
電子ペンが用紙に形成されたコード化パターンを読み取って生成した記入情報に基づいて、前記用紙に前記電子ペンで記入された内容に関する記入内容情報を生成する情報生成手段と、
前記情報生成手段によって生成された記入内容情報を、前記用紙に対応付けて記憶手段に記憶させる記憶制御手段と、を備え、
前記記憶制御手段は、前記電子ペンにより２枚の用紙に記入がなされた場合に、前記２枚の用紙の一方の用紙に対応付けて記憶された記入内容情報を、前記２枚の用紙の他方の用紙の記入内容情報として引き継がせることを特徴とするコンピュータ装置。
【請求項２】
前記記憶制御手段は、前記記入情報から、前記電子ペンで前記２枚の用紙に跨る手書きストロークが記入されたと判定される場合に、前記記入内容情報を引き継がせることを特徴とする請求項１に記載のコンピュータ装置。
【請求項３】
前記記憶制御手段は、前記電子ペンで前記２枚の用紙のそれぞれの所定領域に跨る手書きストロークが記入されたと判定される場合に、前記記入内容情報を引き継がせることを特徴とする請求項２に記載のコンピュータ装置。
【請求項４】
前記記憶制御手段は、前記記入内容情報を引き継がせた後に、当該記入内容情報に対して、前記他方の用紙に前記電子ペンで記入された内容に関する記入内容情報を追加的に記憶させることを特徴とする請求項１〜３のいずれか一項に記載のコンピュータ装置。
【請求項５】
前記記憶制御手段は、前記記入内容情報を引き継がせた後も、前記一方の用紙についての記入内容情報を前記記憶手段に記憶させ続けることを特徴とする請求項１〜４のいずれか一項に記載のコンピュータ装置。
【請求項６】
前記用紙は、トリアージタグであり、
前記情報生成手段は、前記トリアージタグに前記電子ペンで記入された内容に関する記入内容情報を生成することを特徴とする請求項１〜５のいずれか一項に記載のコンピュータ装置。
【請求項７】
請求項１〜６のいずれか一項に記載のコンピュータ装置としてコンピュータを機能させることを特徴とするプログラム。
【請求項８】
２枚の用紙のそれぞれに設けられた、電子ペンで用紙に記入された内容に関する記入内容情報を引き継がせるための所定の領域に、電子ペンで連続して記入する第１ステップと、
前記第１ステップで記入された際に、前記電子ペンが前記用紙に形成されたコード化パターンを読み取って生成した記入情報をコンピュータ装置に送信する第２ステップと、
を備えることを特徴とする情報処理方法。
【請求項９】
前記第２ステップで送信された記入情報に基づいて、前記コンピュータ装置が、前記２枚の用紙の一方の用紙についての記入内容情報を、前記２枚の用紙の他方の用紙についての記入内容情報として引き継がせる第３ステップを更に備えることを特徴とする請求項８に記載の情報処理方法。
【発明の詳細な説明】
【技術分野】
【０００１】
本発明は、電子ペンで用紙に記入された内容に関する情報を処理する技術分野に関する。
【背景技術】
【０００２】
従来から、記入した情報を電子化する電子ペン（デジタルペン）が開発されており、その代表的なものとしてスウェーデンのＡｎｏｔｏ社が開発した「アノトペン（Ａｎｏｔｏ  ｐｅｎ）」が知られている。例えば、特許文献１には、アノトペンが、用紙に印刷された所定のドットパターンを読み取って記入情報を生成し、当該記入情報を端末装置に送信することが記載されている。また、特許文献２には、ドットパターンに対向する電子ペンの角度に起因するドットの画像上の配列を補正する回転補正処理機能が記載されている。
【０００３】
また、近年、地震や台風やテロ等による大規模災害時の対応システムに、トリアージタグと呼ばれる治療優先度を示す標識タグが用いられている。このようなトリアージタグにドットパターンを形成し、電子ペンを利用して、トリアージタグに記入された内容を電子データ化する技術が提案されている（例えば特許文献３及び４参照）。
【先行技術文献】
【特許文献】
【０００４】
【特許文献１】特許第３８７２４９８号公報
【特許文献２】特表２００３−５２９８５３号公報
【特許文献３】特開２００９−２１７４４９号公報
【特許文献４】特開２００９−１８７１７０号公報
【発明の概要】
【発明が解決しようとする課題】
【０００５】
ところで、トリアージタグが利用される現場では、トリアージタグが破れたり、汚れたり、濡れたりする場合がある。そのような場合、破れたり、汚れたり、濡れたりしたトリアージタグに記入された内容に関する情報を、別の新しいトリアージタグについての情報として引き継ぐことができれば便宜である。
【０００６】
そこで、本発明は、一の用紙に記入された内容に関する情報を、別の用紙についての情報として適切に引き継ぐことが可能なコンピュータ装置などを提供することを主な目的とする。
【課題を解決するための手段】
【０００７】
本発明の１つの観点では、コンピュータ装置は、電子ペンが用紙に形成されたコード化パターンを読み取って生成した記入情報に基づいて、前記用紙に前記電子ペンで記入された内容に関する記入内容情報を生成する情報生成手段と、前記情報生成手段によって生成された記入内容情報を、前記用紙に対応付けて記憶手段に記憶させる記憶制御手段と、を備え、前記記憶制御手段は、前記電子ペンにより２枚の用紙に記入がなされた場合に、前記２枚の用紙の一方の用紙に対応付けて記憶された記入内容情報を、前記２枚の用紙の他方の用紙の記入内容情報として引き継がせる。
【０００８】
上記のコンピュータ装置によれば、一方の用紙についての記入内容情報を、他方の用紙の記入内容情報として適切に引き継がせることができる。例えば、破れたり、汚れたり、濡れたりした用紙の記入内容情報を、新たな用紙の記入内容情報として適切に引き継がせることができる。そのため、破れたり、汚れたり、濡れたりした用紙に既に記入した内容を新たな用紙に記入し直すことなく、用紙の引き継ぎ後の内容のみを新たな用紙に記入することで、全ての記入内容情報を適切に管理することができる。
【０００９】
上記のコンピュータ装置の一態様では、前記記憶制御手段は、前記記入情報から、前記電子ペンで前記２枚の用紙に跨る手書きストロークが記入されたと判定される場合に、前記記入内容情報を引き継がせても良い。これにより、用紙の利用者が誤って電子ペンで２枚の用紙に記入した場合に、記入内容情報が引き継がれてしまうことを適切に抑制することができる。
【００１０】
上記のコンピュータ装置において好適には、前記記憶制御手段は、前記電子ペンで前記２枚の用紙のそれぞれの所定領域に跨る手書きストロークが記入されたと判定される場合に、前記記入内容情報を引き継がせると良い。
【００１１】
上記のコンピュータ装置の他の一態様では、前記記憶制御手段は、前記記入内容情報を引き継がせた後に、当該記入内容情報に対して、前記他方の用紙に前記電子ペンで記入された内容に関する記入内容情報を追加的に記憶させても良い。これにより、引き継がせた記入内容情報と、新たな用紙に電子ペンで記入された内容に関する記入内容情報とを、１つの情報のまとまりとして適切に扱うことができる。
【００１２】
上記のコンピュータ装置の他の一態様では、記記憶制御手段は、前記記入内容情報を引き継がせた後も、前記一方の用紙についての記入内容情報を前記記憶手段に記憶させ続けても良い。つまり、一方の用紙についての記入内容情報を削除せずに残しておくと良い。
【００１３】
上記のコンピュータ装置の好適な例では、前記用紙は、トリアージタグであり、前記情報生成手段は、前記トリアージタグに前記電子ペンで記入された内容に関する記入内容情報を生成しても良い。
【００１４】
本発明の他の観点では、プログラムは、上記コンピュータ装置としてコンピュータを機能させる。当該プログラムを実行することにより、上記のコンピュータ装置を実現することができる。
本発明の更に他の観点では、情報処理方法は、２枚の用紙のそれぞれに設けられた、電子ペンで用紙に記入された内容に関する記入内容情報を引き継がせるための所定の領域に、電子ペンで連続して記入する第１ステップと、前記第１ステップで記入された際に、前記電子ペンが前記用紙に形成されたコード化パターンを読み取って生成した記入情報をコンピュータ装置に送信する第２ステップと、を備えていても良い。また、情報処理方法は、前記第２ステップで送信された記入情報に基づいて、前記コンピュータ装置が、前記２枚の用紙の一方の用紙についての記入内容情報を、前記２枚の用紙の他方の用紙についての記入内容情報として引き継がせる第３ステップを更に備えていても良い。
【発明の効果】
【００１５】
本発明によれば、一方の用紙についての記入内容情報を、他方の用紙の記入内容情報として適切に引き継がせることができる。
【図面の簡単な説明】
【００１６】
【図１】本実施形態に係る救急医療支援システムのシステム構成図である。
【図２】本実施形態に係るトリアージタグを示す。
【図３】ドットパターンにおけるドットの配置と変換される値との関係を示す説明図である。
【図４】（ａ）はドットパターンを模式的に示し、（ｂ）はそれに対応する情報の例を示す図である。
【図５】電子ペンの構造を示す概略図である。
【図６】サーバ装置の機能ブロック図である。
【図７】本実施形態において記憶制御手段が行う記憶制御方法を具体的に説明するための図である。
【図８】本実施形態に係る処理フローを示す図である。
【発明を実施するための形態】
【００１７】
以下、図面を参照しながら、本発明の実施の形態について説明する。
【００１８】
［救急医療支援システムの構成］
図１は、本実施形態に係る救急医療支援システム１０のシステム構成図である。図１に示すように、救急医療支援システム１０は、電子ペン１ａ、１ｂ、１ｃ（１）と、トリアージタグ２と、携帯端末３ａ、３ｂ、３ｃ（３）と、サーバ装置４と、コンピュータ装置５、６とを有する。
【００１９】
電子ペン１ａ及び携帯端末３ａは災害や事故などの現場で使用され、電子ペン１ｂ及び携帯端末３ｂは搬送機関（救急車など）で使用され、電子ペン１ｃ及び携帯端末３ｃは医療機関で使用される。図１では、電子ペン１ａ〜１ｃを１本のみ示しているが、実際には電子ペン１ａ〜１ｃはそれぞれ複数本用意される。コンピュータ装置５は、消防関連機関（消防本部や消防署など）で使用され、コンピュータ装置６は、医療機関で使用される。コンピュータ装置５、６は、ネットワーク（例えばインターネット）を介してサーバ装置４に接続される。
【００２０】
トリアージタグ２は、傷病者の緊急度や重傷度に応じて適切な処置や搬送を行うべく、傷病者の治療優先度を決定するために利用され、電子ペン１により読み取り可能なドットパターン（コード化パターン）が印刷されている。電子ペン１は、トリアージタグ２への記入に対応する記入情報を、Ｂｌｕｅｔｏｏｔｈ（登録商標）等の無線通信方式で携帯端末３に送信する。なお、電子ペン１ａ、１ｂ、１ｃは、互いに異なるペンＩＤ（ペン識別情報）を有している。
【００２１】
携帯端末３は、電子ペン１から受信した記入情報を、携帯電話通信網（例えばＩＰパケット通信）やインターネット通信網などのネットワークを介してサーバ装置４に送信する。例えば、携帯端末３は、スマートフォンである。サーバ装置４は、携帯端末３から受信した記入情報に応じた情報を生成し、生成した情報をコンピュータ装置５、６に送信する。例えば、サーバ装置４は、消防関連機関ないし医療機関、あるいは双方に設けられる。
【００２２】
ここで、トリアージタグ２は、傷病者に取り付けられることで、傷病者と共に現場から搬送機関を介して医療機関に移動され、このような過程において電子ペン１による記入がなされる。基本的には、まず最初に現場にて電子ペン１ａによってトリアージタグ２への記入がなされ、その後に搬送機関による搬送中に電子ペン１ｂによってトリアージタグ２への記入がなされ、最後に医療機関にて電子ペン１ｃによってトリアージタグ２への記入がなされる。
【００２３】
サーバ装置４は、現場から医療機関に収容される過程において電子ペン１によって生成された記入情報を適宜受信して、トリアージタグ２に電子ペン１で記入された内容に関する情報を生成して管理する。また、サーバ装置４は、そのような情報をコンピュータ装置５、６に送信する。
【００２４】
［トリアージタグ］
図２を参照して、本実施形態に係るトリアージタグ２について説明する。なお、トリアージタグ２は、本発明における「用紙」の一例に相当する。また、「トリアージ」とは、大事故や災害時のように多数の傷病者が同時に発生した場合、限られた救急医療条件で最大限の救命を行えるように、傷病者の緊急度や重傷度に応じて適切な処置や搬送を行うため、傷病者の治療優先度（トリアージ区分）を設定することを意味する。
【００２５】
図２に示すように、トリアージタグ２には、トリアージタグ２ごとに異なる識別番号が印刷された識別番号エリア２ａと、傷病者の氏名を記入するための氏名記入欄２ｂと、傷病者の性別を選択するための性別選択欄２ｃと、傷病者の電話番号を記入するための電話番号記入欄２ｄと、傷病者の年齢を記入するための年齢記入欄２ｅと、傷病者の住所を記入するための住所記入欄２ｆと、傷病者に対するトリアージを実施した月日（日付）及び時刻を記入するためのトリアージ実施月日・時刻記入欄２ｇと、トリアージの実施者を記入するための実施者記入欄２ｈと、搬送機関の名称を記入するための搬送機関名記入欄２ｉと、傷病者を収容する医療機関の名称を記入するための収容医療機関名記入欄２ｊと、メモなどを記入するための備考欄２ｋと、トリアージ区分を選択するためのトリアージ区分選択欄２ｍと、電子ペン１によって生成された記入情報を送信するための送信ボックス２ｎと、標識部２ｐとが設けられている。
【００２６】
トリアージタグ２には、略全面に、位置座標を示すアノト方式のドットパターン（コード化パターン）が印刷されている。ドットパターンは、赤外線を吸収するカーボンを含んだインキにより印刷され、文字や枠線などは、赤外域に吸収性を持たないインキにより印刷される。なお、トリアージタグ２を区別するために、トリアージタグ２ごとに異なる座標範囲のドットパターンが印刷されている。
【００２７】
トリアージ区分選択欄２ｍ及び標識部２ｐにおいて、「０」のトリアージ区分は死亡群を示しており、「I」のトリアージ区分は重症群を示しており、「II」のトリアージ区分は中等症群を示しており、「III」のトリアージ区分は軽症群を示している。
【００２８】
また、標識部２ｐは、一瞥して傷病の状態を認識できるようにトリアージ区分により色分けされている。標識部２ｐは、黒色ラベルに「０」と印字された死亡群、赤色ラベルに「I」と印字された重症群、黄色ラベルに「II」と印字された中等症群、及び緑色ラベルに「III」と印字された軽症群の４つから構成されており、各ラベルの境界に形成された破線（ミシン目）で切り離しできるように加工されている。トリアージタグ２の利用者は、傷病者のトリアージ区分に該当するラベルを残して、標識部２ｐを切り離すことで、傷病者の症状を示す識別票として使用する。例えば、傷病者の症状が「I」の重症群であると判断される場合は、標識部２ｐの「II」及び「III」の部分を切り離すこととなる。
【００２９】
送信ボックス２ｎは、トリアージタグ２に電子ペン１により記入された内容に対応する記入情報を、電子ペン１から携帯端末３を経由してサーバ装置４へ送信する処理を実行させるための指示が定義されたエリアである。例えば、送信ボックス２ｎは、トリアージが実施された後に電子ペン１によってタップされる。
【００３０】
なお、トリアージタグ２が異なっても、送信ボックス２ｎのドットパターンはトリアージタグ２に共通して同じであっても良い。
【００３１】
［ドットパターン］
次に、図３及び図４を参照しながら、トリアージタグ２に印刷されたアノト方式のドットパターン（コード化パターン）について説明する。図３は、トリアージタグ２に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、トリアージタグ２上の位置座標が決定されるように構成されている。
【００３２】
図４（ａ）は、あるドットパターンの配列を示している。図４（ａ）に示すように、縦横約２ｍｍの範囲内に６×６個のドットが、トリアージタグ２上のどの部分から６×６ドットを取っても、ユニークなパターンとなるように配置されている。これら３６個のドットにより形成されるドットパターンは位置座標（例えば、そのドットパターンがトリアージタグ２上のどの位置にあるのか）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００３３】
［電子ペン］
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端はペン先部１０３となっており、利用者は、電子ペン１のペン先部１０３をトリアージタグ２に当接させて、トリアージタグ２にストローク（手書きストローク）を記入したり、電子ペン１のペン先部１０３をトリアージタグ２に当接させて、タップ（ペン先部１０３によるトリアージタグ２への軽叩）したりする。インクカートリッジ１０４のインクは、赤外線を吸収する材料（例えばカーボン）を含まないようにする。ここで、電子ペン１のペン先部１０３がトリアージタグ２に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００３４】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、利用者が電子ペン１によりトリアージタグ２に手書きストロークを記入したりタップしたりする際にペン先部１０３からインクカートリッジ１０４を通じて与えられる圧力、即ち筆圧を検出し、その値をプロセッサ１０８へ伝送する。
【００３５】
プロセッサ１０８は、圧力センサ１０７から与えられる筆圧データに基づいて、ＬＥＤ１０５及びＣＭＯＳカメラ１０６のスイッチのオン／オフを切替える。即ち、利用者が電子ペン１によりトリアージタグ２に手書きストロークを記入したりタップしたりすると、ペン先部１０３に筆圧がかかり、圧力センサ１０７によって所定値以上の筆圧が検出されたときに、プロセッサ１０８は、利用者が記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてメモリ１０９に記憶する。また、利用者が１つのストロークを記入中は、後述のように、プロセッサ１０８は、リアルタイムクロック１１０から発信される現在時刻（タイムスタンプ：記入された時刻情報）、筆圧データ及びＸ、Ｙ座標データを関連付けて、メモリ１０９に記憶する。利用者が１つのストロークを記入し終えて電子ペン１をトリアージタグ２から離すと、圧力センサ１０７は、所定値以上の筆圧が検出されなくなることでペンアップを検出する。すると、プロセッサ１０８は、圧力センサ１０７により検出されたペンアップ情報とペンＩＤとを関連付けて、記入情報としてメモリ１０９に記憶する。そして、プロセッサ１０８は、電子ペン１によってトリアージタグ２の送信ボックス２ｎがタップされた際に、その送信ボックス２ｎのドットパターンから送信指示を認識して、メモリ１０９に記憶した記入情報を、通信ユニット１１１によって携帯端末３へ送信させる。プロセッサ１０８は、携帯端末３へ送信させた記入情報を適時に消去する。
【００３６】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、トリアージタグ２上のペン先部１０３近傍に向けて赤外線を照明する。その領域は、ペン先部１０３がトリアージタグ２に接触する位置とはわずかにずれている。ＣＭＯＳカメラ１０６は、赤外線を透過し赤外線以外を遮断する赤外線透過フィルタが設けられており、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、トリアージタグ２に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３７】
プロセッサ１０８は、利用者による記入が行われる間、ＣＭＯＳカメラ１０６によって供給される画像データのドットパターンから、利用者が記入するストローク（筆跡）のトリアージタグ２上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。また、プロセッサ１０８は、演算した位置座標がトリアージタグ２の送信ボックス２ｎのドットパターンを示す場合、送信指示と認識して、通信ユニット１１１に記入情報を携帯端末３へ送信させる。なお、トリアージタグ２における６×６のドットパターンは、トリアージタグ２内で重複することはないため、利用者が電子ペン１で文字等を記入すると、記入された位置がトリアージタグ２のどの位置に当たるかを、プロセッサ１０８による座標演算により特定することができる。
【００３８】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として、携帯端末３を介してサーバ装置４へ送信する。通信ユニット１１１による携帯端末３への送信は、Ｂｌｕｅｔｏｏｔｈ（登録商標）などの無線送信によって、即時的かつ逐次的に行われる。ここで、電子ペン１のペンダウンからペンアップまでの間に生成されて送信された１個又は複数個の座標属性情報は、携帯端末３及びサーバ装置４によりストローク情報として記憶される。換言すると、１つのストロークは、１個又は複数個のＸ、Ｙ座標（座標点）からなり、携帯端末３及びサーバ装置４は、ペンダウン情報及びペンアップ情報によって、１つのストロークを構成する１個又は複数個の座標属性情報を認識する。
【００３９】
［サーバ装置］
次に、サーバ装置４について説明する。サーバ装置４は、ハードウェアとして、ＣＰＵ等のプロセッサ、ＲＯＭやＲＡＭといったメモリ等で構成される。図６は、サーバ装置４の機能ブロック図である。サーバ装置４は、機能的には、処理手段４４、記憶手段４５、通信手段４７及び通信インターフェース４８を備える。なお、サーバ装置４は、本発明における「コンピュータ装置」の一例に相当する。
【００４０】
通信手段４７は、携帯電話網（例えばＩＰパケット通信）やインターネットなどのネットワークを介して携帯端末３と通信を行う。通信手段４７は、電子ペン１によって生成された記入情報を携帯端末３から受信する。
【００４１】
通信インターフェース４８は、ネットワーク（インターネットなど）を介して、消防関連機関で使用されるコンピュータ装置５及び医療機関で使用されるコンピュータ装置６に接続する。そして、通信インターフェース４８は、後述する処理手段４４によって生成された情報をコンピュータ装置５、６に送信する。
【００４２】
記憶手段４５は、ＲＯＭ、ＲＡＭといったメモリによって構成され、処理手段４４の指示により、プログラムの実行により生成される各種情報を記憶する。記憶手段４５は、トリアージタグ２に印刷されたドットパターンの座標範囲に関する座標定義情報を記憶している。具体的には、記憶手段４５は、複数のトリアージタグ２に割り当てられたドットパターンの座標範囲を、各トリアージタグ２に対応付けて記憶する。例えば、トリアージタグ２の識別番号（識別番号エリア２ａに印刷された、トリアージタグ２ごとに異なる番号）に対応付けて、各トリアージタグ２に割り当てられたドットパターンの座標範囲を記憶する。また、記憶手段４５は、トリアージタグ２に設けられた各エリア（具体的には、識別番号エリア２ａ、氏名記入欄２ｂ、性別選択欄２ｃ、電話番号記入欄２ｄ、年齢記入欄２ｅ、住所記入欄２ｆ、トリアージ実施月日・時刻記入欄２ｇ、実施者記入欄２ｈ、搬送機関名記入欄２ｉ、収容医療機関名記入欄２ｊ、備考欄２ｋ、トリアージ区分選択欄２ｍ、送信ボックス２ｎ、標識部２ｐの全て又は一部）に対応付けて、各エリアに割り当てられたドットパターンの座標範囲を記憶する。
【００４３】
また、記憶手段４５は、処理手段４４の処理命令により、携帯端末３を介して電子ペン１から受信した記入情報をペンＩＤ毎に記憶し、さらに、処理手段４４の指示により、記憶領域を確保して、ペンダウンからペンアップまでの記入情報に含まれる座標属性情報をストローク情報としてペンＩＤ毎に記憶する。上記以外にも、記憶手段４５は、処理手段４４の指示により、プログラムの実行により生成される各種情報を記憶する。
【００４４】
処理手段４４は、ＣＰＵ等のプロセッサによって構成され、サーバ装置４の全体の制御を行う。処理手段４４は、機能的には、情報生成手段４４１及び記憶制御手段４４２を有する。
【００４５】
情報生成手段４４１は、通信手段４７によって受信された記入情報に基づいて、電子ペン１でトリアージタグ２に記入された内容に関する情報（以下では「トリアージ記入情報」と呼ぶ。）を生成する。トリアージ記入情報は、本発明における「記入内容情報」の一例に相当する。具体的には、トリアージ記入情報は、傷病者の氏名や、年齢や、性別や、トリアージ実施月日・時刻や、トリアージ区分や、搬送機関名や、収容医療機関名などを含む情報である。
【００４６】
上記のようなトリアージ記入情報を生成する場合、情報生成手段４４１は以下のような処理を行う。情報生成手段４４１は、トリアージタグ２の氏名記入欄２ｂ及び年齢記入欄２ｅに電子ペン１で記入された手書きストロークに対して文字認識処理を行うことで、傷病者の氏名及び年齢についての情報を生成する。また、情報生成手段４４１は、トリアージタグ２の性別選択欄２ｃにて電子ペン１により選択された性別を特定することで、傷病者の性別についての情報を生成する。また、情報生成手段４４１は、例えばトリアージタグ２のトリアージ区分選択欄２ｍへの記入に対応する記入情報に含まれる時刻情報に基づいて、トリアージ実施月日・時刻についての情報を生成する。また、情報生成手段４４１は、トリアージタグ２のトリアージ区分選択欄２ｍ又は標識部２ｐへの電子ペン１による記入（タップ）に対応する記入情報に基づいて、トリアージ区分についての情報（つまり傷病者の症状の程度が「I」「II」、「III」のいずれの区分に該当するかを示す情報）を生成する。この場合、情報生成手段４４１は、電子ペン１によってトリアージ区分選択欄２ｍ又は標識部２ｐに記入（タップ）されるごとに、トリアージ区分についての情報を更新する。また、情報生成手段４４１は、例えばトリアージタグ２の搬送機関名記入欄２ｉ及び収容医療機関名記入欄２ｊに電子ペン１で記入された手書きストロークに対して文字認識処理を行うことで、搬送機関名及び収容医療機関名についての情報を生成する。
【００４７】
なお、トリアージ記入情報に、傷病者を医療機関に収容するまでのステータス（搬送状況）の情報を含めても良い。その場合、情報生成手段４４１は、通信手段４７によって受信された記入情報に含まれるペンＩＤに基づいて、ステータスを設定する。具体的には、情報生成手段４４１は、記入情報が現場で使用される電子ペン１ａによって生成された情報である場合、つまり記入情報に含まれるペンＩＤが電子ペン１ａに対応するものである場合には、傷病者に対してトリアージが実施されたことを示す「トリアージ完了」といったステータスを設定する。また、情報生成手段４４１は、記入情報が搬送機関で使用される電子ペン１ｂによって生成された情報である場合、つまり記入情報に含まれるペンＩＤが電子ペン１ｂに対応するものである場合には、搬送機関により傷病者が搬送中であることを示す「搬送中」といったステータスを設定する。また、情報生成手段４４１は、記入情報が医療機関で使用される電子ペン１ｃによって生成された情報である場合、つまり記入情報に含まれるペンＩＤが電子ペン１ｃに対応するものである場合には、医療機関への傷病者の収容が完了したことを示す「収容完了」といったステータスを設定する。なお、上記のようなステータスを設定するに当たって、電子ペン１ａ、１ｂ、１ｃのそれぞれのペンＩＤと、ステータス（トリアージ完了、搬送中、収容完了）とを対応付けた情報を、予め記憶手段４５に記憶させておくと良い。
【００４８】
以上のように情報生成手段４４１によって生成されたトリアージ記入情報は、コンピュータ装置５、６の要求に応じて、通信インターフェース４８を介してコンピュータ装置５、６に送信される。
【００４９】
次に、記憶制御手段４４２は、情報生成手段４４１によって生成されたトリアージ記入情報を、記憶手段４５に記憶させる制御を行う。この場合、記憶制御手段４４２は、トリアージタグ２に対応付けて、例えばトリアージタグ２の識別番号に対応付けて、トリアージ記入情報を記憶させる。また、記憶制御手段４４２は、通信手段４７によって受信された記入情報、及び記憶手段４５に記憶された座標定義情報に基づいて、電子ペン１で２枚のトリアージタグ２に跨る手書きストローク（１つの手書きストローク（ひとつながりの手書きストローク）を意味する。以下同様とする。）が記入されたか否かを判定する。例えば、記憶制御手段４４２は、電子ペン１で２枚のトリアージタグ２のそれぞれの所定領域（１つの例では識別番号エリア２ａ）に跨る手書きストロークが記入されたか否かを判定する。そして、記憶制御手段４４２は、電子ペン１で２枚のトリアージタグ２に跨る手書きストロークが記入されたと判定した場合に、２枚のうちの一方のトリアージタグ２に対応付けて記憶手段４５に記憶されたトリアージ記入情報を、２枚のうちの他方のトリアージタグ２についてのトリアージ記入情報として引き継がせる。具体的には、記憶制御手段４４２は、一方のトリアージタグ２についてのトリアージ記入情報を複製し、複製したトリアージ記入情報を他方のトリアージタグ２に対応付けて記憶手段４５に新たに記憶させる。
【００５０】
なお、電子ペン１でそれぞれに跨る手書きストロークが記入される２枚のトリアージタグ２においては、原則、一方のトリアージタグ２については、既に電子ペン１で記入がなされており、その記入に対応するトリアージ記入情報が生成されて記憶手段４５に記憶されており、一方で、他方のトリアージタグ２については、未だ電子ペン１で記入がなされておらず、トリアージ記入情報は生成されていないと共に記憶手段４５に記憶されていないものとする。以下では、説明の便宜上、このような２枚のトリアージタグ２において、既に電子ペン１で記入がなされたトリアージタグ２、つまり引き継がせようとするトリアージ記入情報が対応付けて記憶されたトリアージタグ２を、適宜「第１トリアージタグ２１」と表記する。また、未だ電子ペン１で記入がなされていないトリアージタグ２、つまりトリアージ記入情報を引き継ぐ先のトリアージタグ２を、適宜「第２トリアージタグ２２」と表記する。
【００５１】
また、記憶制御手段４４２は、上記のようにして第１トリアージタグ２１のトリアージ記入情報を第２トリアージタグ２２のトリアージ記入情報として引き継がせた後、その第２トリアージタグ２２のトリアージ記入情報に対して、電子ペン１で第２トリアージタグ２２に記入された内容に関するトリアージ記入情報（情報生成手段４４１によって生成される情報）を追加的に記憶させていく。
【００５２】
なお、記憶制御手段４４２は、第１トリアージタグ２１のトリアージ記入情報を第２トリアージタグ２２のトリアージ記入情報として引き継がせた後も、第１トリアージタグ２１のトリアージ記入情報を削除せずに残しておくと良い。また、記憶制御手段４４２は、第１トリアージタグ２１のトリアージ記入情報に、第２トリアージタグ２２にトリアージ記入情報を引き継がせたことを示す情報（例えば第２トリアージタグ２２の識別番号を含む情報）を更に記憶させても良いし、第２トリアージタグ２２のトリアージ記入情報に、第１トリアージタグ２１からトリアージ記入情報を引き継いだことを示す情報（例えば第１トリアージタグ２１の識別番号を含む情報）を更に記憶させても良い。
【００５３】
［記憶制御方法］
次に、図７を参照して、本実施形態において記憶制御手段４４２が行う記憶制御方法（詳しくはトリアージ記入情報を引き継がせる方法）について、具体例を挙げて詳細に説明する。
【００５４】
ここでは、第１トリアージタグ２１（識別番号１６７０）のトリアージ記入情報を、第２トリアージタグ２２（識別番号１６７１）のトリアージ記入情報として引き継がせる場合を例に挙げる。その場合、トリアージの実施者は、図７に示すように、第１トリアージタグ２１と第２トリアージタグ２２とをずらして重ねて、第１トリアージタグ２１の識別番号エリア２１ａ及び第２トリアージタグ２２の識別番号エリア２２ａの両方に跨るような手書きストロークＳｔを電子ペン１で記入する。手書きストロークＳｔは、第１トリアージタグ２１の識別番号エリア２１ａから第２トリアージタグ２２の識別番号エリア２２ａへ向かう方向に記入しても良いし、第２トリアージタグ２２の識別番号エリア２２ａから第１トリアージタグ２１の識別番号エリア２１ａへ向かう方向に記入しても良い。なお、第１トリアージタグ２１のトリアージ記入情報を第２トリアージタグ２２のトリアージ記入情報として引き継がせるべき状況としては、例えば、第１トリアージタグ２１が破れたり、汚れたり、濡れたりした場合が挙げられる。
【００５５】
上記のような手書きストロークＳｔが電子ペン１で記入された場合、サーバ装置４の記憶制御手段４４２は、通信手段４７によって受信された記入情報、及び記憶手段４５に記憶された座標定義情報に基づいて、当該手書きストロークＳｔが、第１トリアージタグ２１及び第２トリアージタグ２２の識別番号エリア２１ａ、２２ａの両方に跨るものであるか否かを判定する。具体的には、記憶制御手段４４２は、記憶手段４５に記憶された、識別番号エリア２１ａ、２２ａのそれぞれに割り当てられたドットパターンの座標範囲に基づいて、手書きストロークＳｔに対応する記入情報が、識別番号エリア２１ａに割り当てられたドットパターンの座標範囲内の座標点及び識別番号エリア２２ａに割り当てられたドットパターンの座標範囲内の座標点を含むものであるか否かを判定する。
【００５６】
上記のような判定により、記憶制御手段４４２は、図７に示すような手書きストロークＳｔが、第１トリアージタグ２１及び第２トリアージタグ２２の識別番号エリア２１ａ、２２ａの両方に跨るものであると判断する。そして、記憶制御手段４４２は、第１トリアージタグ２１のトリアージ記入情報を、第２トリアージタグ２２のトリアージ記入情報として引き継がせる。具体的には、記憶制御手段４４２は、第１トリアージタグ２１のトリアージ記入情報を複製し、複製したトリアージ記入情報を第２トリアージタグ２２に対応付けて記憶手段４５に新たに記憶させる。例えば、記憶制御手段４４２は、識別番号１６７０に対応付けて記憶手段４５に記憶されたトリアージ記入情報を複製し、複製したトリアージ記入情報を識別番号１６７１に対応付けて記憶手段４５に新たに記憶させる。なおこのようにトリアージ記入情報を引き継がせた後、電子ペン１で第２トリアージタグ２２に記入がなされた場合、記憶制御手段４４２は、第２トリアージタグ２２に引き継がせたトリアージ記入情報に対して、電子ペン１で第２トリアージタグ２２に記入された内容に関するトリアージ記入情報を追加的に記憶させていく。
【００５７】
［処理フロー］
次に、図８を参照して、本実施形態に係る処理フローについて説明する。この処理フローは、サーバ装置４によって所定の周期で繰り返し実行される。
【００５８】
まず、サーバ装置４の通信手段４７が、携帯端末３を介して、電子ペン１によって生成された記入情報を受信する（ステップＳ１）。この後、サーバ装置４の記憶制御手段４４２が、ステップＳ１で受信した記入情報、及び記憶手段４５に記憶された座標定義情報に基づいて、電子ペン１で２つのトリアージタグ２（第１トリアージタグ２１及び第２トリアージタグ２２）に跨る手書きストロークが記入されたか否かを判定する（ステップＳ２）。具体的には、記憶制御手段４４２は、第１トリアージタグ２１及び第２トリアージタグ２２の識別番号エリア２１ａ、２２ａの両方に跨る手書きストロークが電子ペン１で記入されたか否かを判定する。この場合、記憶制御手段４４２は、記憶手段４５に記憶された、識別番号エリア２１ａ、２２ａのそれぞれに割り当てられたドットパターンの座標範囲に基づいて、ステップＳ１で受信した記入情報が、識別番号エリア２１ａに割り当てられたドットパターンの座標範囲内の座標点及び識別番号エリア２２ａに割り当てられたドットパターンの座標範囲内の座標点を含むものであるか否かを判定する。
【００５９】
電子ペン１で第１トリアージタグ２１及び第２トリアージタグ２２に跨る手書きストロークが記入されたと判定した場合（ステップＳ２：Ｙｅｓ）、記憶制御手段４４２は、第１トリアージタグ２１のトリアージ記入情報を、第２トリアージタグ２２のトリアージ記入情報として引き継がせる（ステップＳ３）。具体的には、記憶制御手段４４２は、第１トリアージタグ２１のトリアージ記入情報を複製し、複製したトリアージ記入情報を第２トリアージタグ２２に対応付けて記憶手段４５に新たに記憶させる。他方で、電子ペン１で第１トリアージタグ２１及び第２トリアージタグ２２に跨る手書きストロークが記入されていないと判定した場合（ステップＳ２：Ｎｏ）、処理は終了する。
【００６０】
［本実施形態の作用・効果］
以上説明した本実施形態によれば、破れたり、汚れたり、濡れたりしたトリアージタグ２のトリアージ記入情報を、新たなトリアージタグ２のトリアージ記入情報として適切に引き継がせることができる。そのため、破れたり、汚れたり、濡れたりしたトリアージタグ２に既に記入した内容を新たなトリアージタグ２に記入し直すことなく、トリアージタグ２の引き継ぎ後の内容のみを新たなトリアージタグ２に記入することで、一人の傷病者に関する全てのトリアージ記入情報を適切に管理することができる。
【００６１】
また、本実施形態によれば、２枚のトリアージタグ２のそれぞれの所定領域（具体的には識別番号エリア２ａ）に跨る手書きストロークが記入された場合にのみ、トリアージ記入情報を引き継ぐ。これにより、トリアージタグ２の利用者が誤って電子ペン１で２枚のトリアージタグ２に記入した場合に、トリアージ記入情報が引き継がれてしまうことを適切に抑制することができる。
【００６２】
また、本実施形態によれば、元のトリアージタグ２のトリアージ記入情報を新たなトリアージタグ２のトリアージ記入情報として引き継がせた後も、元のトリアージタグ２のトリアージ記入情報を削除せずに残しておく。こうすることで、トリアージタグ２への記入に対応する記入情報が途中でサーバ装置４に適切に送信されなくなった場合にも（例えば電子ペン１が故障したり、バッテリー１１２の残量が０になったりした場合）、引き継ぐ元となったトリアージタグ２や引き継ぎ先のトリアージタグ２などを辿ることで、トリアージタグ２に記入された内容を再度確認することができる。
【００６３】
［変形例］
以下では、上記した実施形態の変形例について説明する。なお、下記の変形例は、任意に組み合わせて実施形態に適用することができる。
【００６４】
（変形例１）
上記した実施形態では、２枚のトリアージタグ２のそれぞれの所定領域（識別番号エリア２ａ）に跨る手書きストロークが電子ペン１で記入された場合にトリアージ記入情報を引き継がせていたが、この代わりに、２枚のトリアージタグ２のそれぞれで異なる所定領域に跨る手書きストロークが電子ペン１で記入された場合に、トリアージ記入情報を引き継がせても良い。更に他の例では、２枚のトリアージタグ２の任意の領域に跨る手書きストロークが電子ペン１で記入された場合に、トリアージ記入情報を引き継がせても良い。この例では、電子ペン１で２枚のトリアージタグ２に跨る手書きストロークが記入された場合には、その手書きストロークがトリアージタグ２のどの領域に記入されたものであっても、トリアージ記入情報を引き継がせる。
【００６５】
（変形例２）
上記した実施形態では、２枚のトリアージタグ２に跨る手書きストロークが電子ペン１で記入された場合にトリアージ記入情報を引き継がせていたが、この代わりに、電子ペン１で２枚のトリアージタグ２にタップされた場合に、トリアージ記入情報を引き継がせても良い。例えば、所定時間以内に電子ペン１で２枚のトリアージタグ２にタップされた場合に、トリアージ記入情報を引き継がせると良い。
【００６６】
（変形例３）
上記した実施形態では、一方のトリアージタグ２のトリアージ記入情報を複製して、当該トリアージ記入情報を他方のトリアージタグ２のトリアージ記入情報として新たに記憶させていたが、この代わりに、一方のトリアージタグ２のトリアージ記入情報を他方のトリアージタグ２のトリアージ記入情報として移行させても良い。つまり、一方のトリアージタグ２のトリアージ記入情報を切り取って、当該トリアージ記入情報を他方のトリアージタグ２のトリアージ記入情報として新たに記憶させても良い。
【００６７】
このようなことから、本発明における「トリアージ記入情報の引き継ぎ」には、トリアージ記入情報の複製だけでなく、トリアージ記入情報の移行（切り取り）も含むものとする。
【００６８】
（変形例４）
上記した実施形態では、本発明をトリアージタグ２に適用していたが、本発明の適用はトリアージタグ２に限定はされない。本発明は、トリアージタグ２以外にも、ドットパターン（コード化パターン）が形成された種々の用紙に適用することができる。好適には、本発明は、破れたり、汚れたり、濡れたりするような環境で使用される用紙に適用すると良い。例えば、屋外で使用する用紙（１つの例では、屋外に設置された機器の管理に用いられるチェック表など）に適用すると良い。
【００６９】
（変形例５）
上記した実施形態では、本発明をサーバ装置４に適用していたが、本発明の適用はサーバ装置４に限定はされない。本発明は、一般的なコンピュータ装置にも適用することができる。例えば、本発明は、電子ペン１が生成した記入情報を携帯端末３などを介さずに受信して処理する、端末装置としてのコンピュータ装置にも適用可能である。
【００７０】
（変形例６）
上記では、電子ペン１、ドットパターン（コード化パターン）、記入情報に、アノト方式を用いていたが、アノト方式を用いることに限定はされない。
【符号の説明】
【００７１】
１（１ａ、１ｂ、１ｃ）…電子ペン
２…トリアージタグ
３（３ａ、３ｂ、３ｃ）…携帯端末
４…サーバ装置
５、６…コンピュータ装置
１０…救急医療支援システム
４４…処理手段
４５…記憶手段
４７…通信手段
４８…通信インターフェース
【図３】
2014222470.tif 000003
【図４】
2014222470.tif 000004
【図５】
2014222470.tif 000005
【図６】
2014222470.tif 000006
【図８】
2014222470.tif 000007
【図１】
2014222470.tif 000008
【図２】
2014222470.tif 000009
【図７】
2014222470.tif 000010